(57)【特許請求の範囲】
【請求項１】
第１〜第（ｎ−１）折り返し部によって区画された第１〜第ｎ情報領域を有し（ｎは６以上の偶数）、折りたたまれて中心付近に配置される始端側の前記第１情報領域から終端側の前記第ｎ情報領域までが順に巻き折りされるフォーム基材と、
巻き折りされた前記フォーム基材の終端付近を封止する第１封止用接着層と、
前記フォーム基材の一部を切断容易にする加工が施された部分であって、巻き折りされた前記フォーム基材を貫通して形成されている開封部と、
を備え、
前記第１〜第ｎ情報領域は、
前記フォーム基材の始端側から設けられた幅方向の長さが短い第１〜第ｍ情報領域からなる第１の群と（ｍは２以上であり、且つｎより３以上小さい偶数）、
前記第１の群に続いて設けられた幅方向の長さが長い第（ｍ＋１）〜第（ｎ−１）情報領域からなる第２の群と、
フラップの役割を有する第ｎ情報領域と、
を備え、
第（ｍ−１）折り返し部は、巻き折りされた前記フォーム基材において、第（ｍ＋１）折り返し部よりも当該巻き折りされたフォーム基材の中心部寄りに形成されており、
前記開封部は、巻き折りされた前記フォーム基材における、前記第（ｍ−１）折り返し部と前記第（ｍ＋１）折り返し部の間にあり、該第（ｍ−１）折り返し部と該第（ｍ＋１）折り返し部に対して平行で、且つ、第（ｎ−１）情報領域と垂直な面に沿って、形成されていることを特徴とする折りたたみフォーム。
【請求項２】
請求項１に記載の折りたたみフォームにおいて、
前記フォーム基材の天地付近の一部又は全部に設けられ、巻き折りされた前記フォーム基材を封止する第２封止用接着層と、
前記第２封止用接着層より内側に設けられたフォームを開封するための天地開封部と、
を備えることを特徴とする折りたたみフォーム。
【請求項３】
請求項１又は請求項２に記載の折りたたみフォームにおいて、
前記折り返し部付近に設けられ、巻き折りされた内側の前記フォーム基材と外側の前記フォーム基材との少なくとも１ヶ所を接着し、冊子形状の背綴じ部となる綴じ用接着層を備えること、
を特徴とする折りたたみフォーム。
【発明の詳細な説明】
【技術分野】
【０００１】
本発明は、ＤＭ（ダイレクトメール）、封筒、封書、郵便物、ポスティング物、店頭リーフレット等に、好適に利用できる折りたたみフォームに関するものである。
【背景技術】
【０００２】
従来、この種の折りたたみフォームは、個人あてに直接郵送する宣伝広告として幅広く利用されており、コスト面を考慮すると郵便定形サイズが一般的であった。
【０００３】
しかし、郵便定形サイズは、最大限の広告領域を確保しようとすると、広告紙面が折りたたまれてしまい、それを展開して読むには、紙面のサイズが大きく、読みにくいという問題があった。
【０００４】
また、広告内容が複数ある場合、展開された１枚の大きな紙面では、デザインやレイアウトを分かりやすいものにすることが難しかった。
【０００５】
一方、通常のＤＭは、封筒に書類を封入し、封緘するので、そのための費用と作業期間が発生してしまっていた。
また、書類に宛名等の個人情報を印字する場合は、封入や封緘の作業時に、「封筒の宛名」と「書類の個人情報」とが一致しない不良品（マッチング不良）が発生する可能性があった。
【０００６】
これらの問題を解決するために、枚葉物、冊子、封筒を別々に製造することなく、１枚のシートから製造できる封書用シート等も提案されている（例えば、特許文献１）。
【０００７】
しかし、特許文献１の封書用シートでは、５枚の紙片を折りたたんで封書を形成しているので、開封時には、３枚ものの冊子と２つ折りのチラシとに分離するだけであり、形態のバリエーションに乏しく、注目を喚起させる訴求効果が得られにくいという可能性があった。
また、紙片を５枚以上に増加させた場合であっても、２つ折りのチラシが増えるだけで、広告内容や製造事情の変化、顧客の要望等に対応しにくいといった問題があった。
【０００８】
【特許文献１】特開２００３−２５１９６６号公報
【発明の開示】
【発明が解決しようとする課題】
【０００９】
本発明の課題は、訴求効果が高く、広告内容や製造事情の変化に対応しやすい折りたたみフォームを提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、第１〜第（ｎ−１）折り返し部によって区画された第１〜第ｎ情報領域を有し（ｎは６以上の偶数）、折りたたまれて中心付近に配置される始端側の前記第１情報領域から終端側の前記第ｎ情報領域までが順に巻き折りされるフォーム基材と、巻き折りされた前記フォーム基材の終端付近を封止する第１封止用接着層と、前記フォーム基材の一部を切断容易にする加工が施された部分であって、巻き折りされた前記フォーム基材を貫通して形成されている開封部と、を備え、前記第１〜第ｎ情報領域は、前記フォーム基材の始端側から設けられた幅方向の長さが短い第１〜第ｍ情報領域からなる第１の群と（ｍは２以上であり、且つｎより３以上小さい偶数）、前記第１の群に続いて設けられた幅方向の長さが長い第（ｍ＋１）〜第（ｎ−１）情報領域からなる第２の群と、フラップの役割を有する第ｎ情報領域と、を備え、第（ｍ−１）折り返し部は、巻き折りされた前記フォーム基材において、第（ｍ＋１）折り返し部よりも当該巻き折りされたフォーム基材の中心部寄りに形成されており、前記開封部は、巻き折りされた前記フォーム基材における、前記第（ｍ−１）折り返し部と前記第（ｍ＋１）折り返し部の間にあり、該第（ｍ−１）折り返し部と該第（ｍ＋１）折り返し部に対して平行で、且つ、第（ｎ−１）情報領域と垂直な面に沿って、形成されていることを特徴とする折りたたみフォームである。
【００１１】
請求項２の発明は、請求項１に記載の折りたたみフォームにおいて、前記フォーム基材（１１）の天地付近の一部又は全部に設けられ、巻き折りされた前記フォーム基材（１１）を封止する第２封止用接着層（１４）と、前記第２封止用接着層より内側に設けられたフォームを開封するための天地開封部（１６）と、を備えること、を特徴とする折りたたみフォームである。
【００１２】
請求項３の発明は、請求項１又は請求項２に記載の折りたたみフォームにおいて、前記折り返し部（１２）付近に設けられ、巻き折りされた内側の前記フォーム基材（１１）と外側の前記フォーム基材（１１）との少なくとも１ヶ所を接着し、冊子形状の背綴じ部となる綴じ用接着層（１７Ａ）を備えること、を特徴とする折りたたみフォームである。
【発明の効果】
【００１４】
本発明によれば、巻き折りされたフォーム基材の第２折り返し部からフォーム基材の終端までの間の少なくとも２ヶ所を切断して開封するようにしたので、開封時には、少なくとも１つの３つ折り部分を有するシートが得られるようになり、訴求効果が向上する。
【発明を実施するための最良の形態】
【００１５】
本発明は、訴求効果が高く、広告内容等の変化に対応しやすい折りたたみフォームを提供するという目的を、巻き折りされたフォーム基材の第２折り返し部からフォーム基材の終端までの間の６ヶ所を切断し、複数の折り目を分離しながらこの折りたたみフォームを開封することにより実現した。
【実施例１】
【００１６】
以下、図面等を参照して、本発明の実施例について、さらに詳しく説明する。
図１は、本発明による折りたたみフォームの実施例１を模式的に示す図であり、図２は、実施例１によるフォーム基材の具体的な印刷内容を示した図であって、図２（Ａ）は、表面、図２（Ｂ）は、裏面であり、図３は、実施例１による巻き折りされたフォーム基材の側面図であり、図４は、実施例１の開封時の様子を示した図である。
実施例１による折りたたみフォーム１０は、フォーム基材１１と、折り目（折り返し部）１２と、第１封止用接着層１３と、第２封止用接着層１４と、開封ミシン（開封部）１５と、天地ミシン１６等とを備え、この折りたたみフォーム１０は、株主への決算報告を通知するＤＭに使用する。
【００１７】
フォーム基材１１は、折りたたまれて折りたたみフォーム１０となるシートであり、第１〜第（ｎ−１）折り目１２−１〜１２−（ｎ−１）によって区画された第１〜第ｎ情報領域１１−１〜１１−ｎを有している（ここでは、ｎ＝８：折り目１２−１〜１２−７、情報領域１１−１〜１１−８）。
【００１８】
また、各情報領域は、フォーム基材１１の始端側から設けられた幅方向の長さの短い第１の群（第１，２情報領域１１−１，１１−２）と、フォーム基材１１の終端側から設けられた幅方向の長さの長い第２の群（第３〜７情報領域１１−３〜１１−７）と、に大別され、第１の群の終端側に連接される第３情報領域１１−３は、巻き折りするための巻き代よりも長い切断代ａを有している。
【００１９】
フォーム基材１１に印刷される具体的な内容は、図２に示すように、以下のような内容である。
（１）第１〜３情報領域１１−１〜１１−３の表裏面：「詳細データ」
（２）第４，５情報領域１１−４，１１−５の表裏面：「概略資料」
（３）第６情報領域１１−６の表面：「封筒宛名」
（４）第７情報領域１１−７の表面：「封筒外側」（差出人の情報等）
（５）第６，７情報領域１１−６，１１−７の裏面：「挨拶状」
また、第８情報領域１１−８は、フラップの役割を有しており、本実施例では、印刷を行っていないが、開封方法等のコメントを印刷してもよい。
【００２０】
折り目１２は、図１に示すように、フォーム基材１１を巻き折りするための折り線であり、７つの折り線がフォーム基材１１の天辺から地辺まで設けられている。
【００２１】
第１封止用接着層１３は、第８情報領域１１−８に設けられ、巻き折りされたフォーム基材１１の終端付近を封止する接着糊である。
【００２２】
第２封止用接着層１４は、フォーム基材１１の天地付近の略全部に設けられ、巻き折りされたフォーム基材１１の天地部分を封止する接着糊である。
【００２３】
開封ミシン１５は、この折りたたみフォーム１０を開封するためのミシン目であり、第３情報領域１１−３の右端部、第４情報領域１１−４の左端部、第５情報領域１１−５の右端部、第６情報領域１１−６の左端部、第７情報領域１１−７の右端部、第８情報領域１１−８の左端部（中央付近）の６ヶ所に、それぞれ天辺から地辺まで切り込まれている。
また、開封ミシン１５は、折りたたまれた場合に、全てが重なるように切り込まれており、巻き折りされたフォーム基材１１の内部の切断代ａを切断する位置に設けられている。
【００２４】
天地ミシン１６は、第２封止用接着層１４の内側に設けられ、この折りたたみフォームの天地部分を開封するためのミシン目である。
【００２５】
次に、折りたたみフォーム１０の製造方法について説明する。
まず、各情報が印刷されたフォーム基材１１を用意する。
ついで、開封ミシン１５と天地ミシン１６とを切り込み、第２封止用接着層１４用の接着糊を塗布する。
そして、折り目１２−１を用いて第１情報領域１１−１を内側に折り返し、第２情報領域１１−２に重ね、その重ね合わされた第１情報領域１１−１と第２情報領域１１−２とをさらに内側に折り返していくといったように、始端側の第１情報領域１１−１から終端側の第８情報領域１１−８までを順に巻き折りする。
最後に、第８情報領域１１−８に設けられている第１封止用接着層１３用の接着糊を塗布しながら、この折りたたみフォーム１０を封止し、図３に示すような、折りたたみフォーム１０が完成する。ここで、第１情報領域１１−１は、折りたたみフォーム１０の中心付近に配置されている
なお、開封ミシン１５は、上述したように、折り加工前に切り込んでもよいが、より開封しやすくするために、折り加工後に切り込むようにしてもよい。
【００２６】
このようにして、図３に示すような、折りたたみフォーム１０が完成したら、この折りたたみフォーム１０は、郵便等で株主に届けられる。
【００２７】
この折りたたみフォーム１０を受け取った株主は、各ミシンを用いてこの折りたたみフォーム１０を開封する。
開封ミシン１５を用いて開封すると、第２折り返し部１２−２からフォーム基材１１の終端までの間の６ヶ所が切断され、折り目１２−７，１２−５，１２−３は、折りたたみフォーム１０から分離されるので、封緘時に１枚であったフォーム基材１１が、開封時には、図４に示すように、３つ折りの詳細データと、２つ折りの概略資料と、２つ折りの封筒部とに分離され、株主は、それぞれの情報を別々に確認することができる。
【００２８】
このように、実施例１によれば、巻き折りされたフォーム基材の第２折り返し部１２−１からフォーム基材の終端までの間の６ヶ所を切断し、折り目１２−３，１２−５，１２−７を分離しながらこの折りたたみフォーム１０を開封するようにしたので、開封時には、３つ折り部分を有する「詳細データ」と、「概略資料」と、封筒宛名及び挨拶状を含む「封筒部」との３種類の書類に分離でき、内容が確認しやすく、かつ、訴求効果も向上する。
【００２９】
また、フォーム基材１１の天地付近の略全部を接着したので、郵送時の隠蔽性が向上する。
【００３０】
さらに、各情報領域を、幅方向の長さが短い第１の群と、幅方向の長さが長い第２の群とに大別し、第１の群の終端側に連接される第３情報領域１１−３に、巻き折りするための巻き代よりも長い切断代ａを設け、その切断代ａを切断するように開封ミシン１５を設けたので、内部の各書類を容易に分離でき、切断ミスも防止することができる。
【００３１】
さらにまた、通常、別々に挿入するものを１枚のシートで作製できるので、可変情報のマッチングミスを防止することができる。
【００３２】
一方、折りたたみフォーム１０を郵便定型サイズで製造すると、「詳細データ」は、Ａ４サイズと略同等の情報量を得ることができ、扱いやすくなる。
【実施例２】
【００３３】
図５は、本発明による折りたたみフォームの実施例２を模式的に示す図であり、図６は、実施例２によるフォーム基材の具体的な印刷内容を示した図であって、図６（Ａ）は、表面、図６（Ｂ）は、裏面であり、図７は、実施例２による巻き折りされたフォーム基材の側面図であり、図８は、実施例２の開封時の様子を示した図である。
なお、前述した実施例１と同様な機能を果たす部分には、同一の符号又は末尾に統一した符号を付して、重複する説明や図面を適宜省略する。
実施例２の折りたたみフォーム１０Ａは、実施例１の折りたたみフォーム１０と異なり、折り目１２−４付近に、綴じ用接着層１７Ａが設けられており、この折りたたみフォーム１０Ａは、流通や通販等の販促を目的としたＤＭである。
【００３４】
また、フォーム基材１１Ａの加工内容も異なり、具体的な印刷内容は、図６に示すように、以下のような内容である。
（１）第１情報領域１１Ａ−１の表裏面：「クーポン券」
（２）第２，３情報領域１１Ａ−２，１１Ａ−３の表裏面：「本文」
（３）第４，５情報領域１１Ａ−４，１１Ａ−５の表裏面：「表紙」（表表紙、裏表紙、各表紙の裏面となる見返し部等）
（４）第６情報領域１１Ａ−６の表面：「封筒宛名」
（５）第７情報領域１１Ａ−７の表面：「封筒外側」（差出人の情報等）
（６）第６，７情報領域１１−６Ａ，１１−７Ａの裏面：「挨拶状」
さらに、第１情報領域１１Ａ−１に設けられた「クーポン券」は、切り取りやすいように、ミシン目で区画されており、このミシン目は開封ミシン１５や天地ミシン１６と同時に切り込む。
【００３５】
そして、このフォーム基材１１Ａを実施例１と同様に巻き折りすると、図７に示すように、巻き折りされた内側のフォーム基材（折り目１２−２付近）と外側のフォーム基材（折り目１２−４付近）とが、綴じ用接着層１７Ａによって接着され、綴じ用接着層１７Ａが冊子の背綴じ部となり、冊子が内封されている折りたたみフォーム１０Ａが完成する。
【００３６】
この折りたたみフォーム１０Ａを受け取った消費者は、開封ミシン１５と天地ミシン１６とを用いてこの折りたたみフォーム１０Ａを開封し、図８に示すように、クーポン券、本文、表紙を含む冊子と、封筒部とに分離した２つの書類を確認する。
【００３７】
このように、実施例２によれば、書類の１つに冊子を形成するようにしたので、ページ毎に商品カテゴリーを分けることができ、解りやすい情報提供が可能になる。
また、冊子の中面は、片観音状に形成され、その観音開きの部分がクーポン券となっているので、訴求効果がより向上する。
【実施例３】
【００３８】
図９は、本発明による折りたたみフォームの実施例３を模式的に示す図であり、図１０は、実施例３による巻き折りされたフォーム基材の側面図であり、図１１は、実施例３の開封時の様子を示した図である。
実施例３の折りたたみフォーム１０Ｂは、実施例２の折りたたみフォーム１０と類似しており、綴じ用接着層１７Ｂが、折り目１２−４付近ではなく、折り目１２−６付近に設けられている。
【００３９】
そして、この折りたたみフォーム１０Ｂは、図１０に示すように、折り目１２−４付近と折り目１２−６付近とが接着され、開封時には、図１１に示すように、３つ折りのシート１枚と、４枚ものの冊子に分離する。
【００４０】
このように、実施例３によれば、冊子は通常の形態で、他のシートに３つ折り部分を設けたい場合に有効である。
【実施例４】
【００４１】
図１２は、本発明による折りたたみフォームの実施例４を模式的に示す図であり、図１３は、実施例４による巻き折りされたフォーム基材の側面図であり、図１４は、実施例４の開封時の様子を示した図である。
実施例４の折りたたみフォーム１０Ｃは、実施例２と実施例３とを組み合わせたタイプであり、綴じ用接着層１７Ｃが、折り目１２−４付近と折り目１２−６付近との両方に設けられている。
【００４２】
そして、この折りたたみフォーム１０Ｃは、図１３に示すように、折り目１２−２付近と折り目１２−４付近、折り目１２−４付近と折り目１２−６付近の２ヶ所が接着され、開封時には、図１４に示すように、３つ折り部分を含む１つの冊子となる。
【００４３】
このように、実施例４によれば、開封時に、３つ折り部分を含む１つの冊子が形成されるので、各情報をコンパクトにまとめながら訴求効果を高めることができる。
【００４４】
（変形例）
以上説明した実施例に限定されることなく、種々の変形や変更が可能であって、それらも本発明の均等の範囲内である。
（１）上述した各実施例では、ＤＭの例で説明したが、封筒、封書、郵便物、ポスティング物、店頭リーフレット等に用いてもよく、また、実施例１を料金利用明細に使用してもよい。
（２）開封ミシンや天地ミシンは、ミシン目としたが、マイクロミシン目やハーフカット等の他のカット線でもよい。
（３）フォーム基材１１は、８つの情報領域の例で説明したが、必要に応じて情報領域を増減させ、開封時に分離させる書類の数を変化させてもよい。
【図面の簡単な説明】
【００４５】
【図１】本発明による折りたたみフォームの実施例１を模式的に示す図である。
【図２】実施例１によるフォーム基材の具体的な印刷内容を示した図である。
【図３】実施例１による巻き折りされたフォーム基材の側面図である。
【図４】実施例１の開封時の様子を示した図である。
【図５】本発明による折りたたみフォームの実施例２を模式的に示す図である。
【図６】実施例２によるフォーム基材の具体的な印刷内容を示した図である。
【図７】実施例２による巻き折りされたフォーム基材の側面図である。
【図８】実施例２の開封時の様子を示した図である。
【図９】本発明による折りたたみフォームの実施例３を模式的に示す図である。
【図１０】実施例３による巻き折りされたフォーム基材の側面図である。
【図１１】実施例３の開封時の様子を示した図である。
【図１２】本発明による折りたたみフォームの実施例４を模式的に示す図である。
【図１３】実施例４による巻き折りされたフォーム基材の側面図である。
【図１４】実施例４の開封時の様子を示した図である。
【符号の説明】
【００４６】
１０、１０Ａ〜１０Ｃ  折りたたみフォーム
１１、１１Ａ〜１１Ｃ  フォーム基材
１２  折り目
１３  第１封止用接着層
１４  第２封止用接着層
１５  開封ミシン
１６  天地ミシン
１７Ａ〜１７Ｃ  綴じ用接着層
ａ  切断代
【図１】
0004848615.tif 000002
【図２】
0004848615.tif 000003
【図３】
0004848615.tif 000004
【図４】
0004848615.tif 000005
【図５】
0004848615.tif 000006
【図６】
0004848615.tif 000007
【図７】
0004848615.tif 000008
【図８】
0004848615.tif 000009
【図９】
0004848615.tif 000010
【図１０】
0004848615.tif 000011
【図１１】
0004848615.tif 000012
【図１２】
0004848615.tif 000013
【図１３】
0004848615.tif 000014
【図１４】
0004848615.tif 000015